(57)【要約】【課題】ユーザが記録されているコンテンツを簡単に確認することができるようにする。【解決手段】再生制御部は、プレビュー再生制御処理を実行していない通常状態Ａ１から、タイマ待ち状態Ａ２に遷移する。静止画スタイルの場合、タイマ待ち状態Ａ２において、再生制御部は、タイマを起動、シークおよび静止画表示を繰り返している。再生制御部は、タイマ待ち状態Ａ２において、タイマが一定時間になり、次のシーク位置がシーク制限値を越えたか否かを判断し、次のシーク位置がシーク制限値を越えたと判断された場合、次のシーク位置へのシークを制限（禁止）し、シーク位置を先頭に戻すために、一旦待機する。本発明は、記憶されているコンテンツを再生する映像記憶再生装置に適用できる。【選択図】図４
2005072745.tif 000002
【特許請求の範囲】
【請求項１】
記録されているデータを再生する再生装置において、
予め設定された一定時間が経過したか否かを判断する時間判断手段と、
前記時間判断手段により前記一定時間が経過したと判断された場合、所定のシーク量分の前記データをシークするシーク手段と、
前記シーク手段により前記シーク量分の前記データがシークされたシーク位置に基づいて、前記データを再生する再生手段と、
前記シーク手段により前記シーク量分の前記データがシークされた前記シーク位置を記憶する記憶手段と、
前記記憶手段により記憶されている前記シーク位置に基づいて、次のシーク位置がシーク制限値を越えるか否かを判断する位置判断手段と、
前記位置判断手段により次のシーク位置がシーク制限値を越えると判断された場合、前記シーク手段による前記次のシーク位置への前記データのシークを制限するシーク制限手段と
を備えることを特徴とする再生装置。
【請求項２】
前記再生手段は、前記データを１倍以上の速度で再生する
ことを特徴とする請求項１に記載の再生装置。
【請求項３】
前記時間判断手段により前記一定時間が経過したと判断された場合、前記再生手段により再生されている前記データの再生を停止する再生停止手段をさらに備え、
前記再生手段は、前記シーク位置から、前記再生停止手段により前記データの再生が停止されるまで、前記データを再生する
ことを特徴とする請求項１に記載の再生装置。
【請求項４】
前記再生手段は、前記シーク位置の前記データのみを再生する
ことを特徴とする請求項１に記載の再生装置。
【請求項５】
前記再生手段は、前記シーク位置から前記データを再生する第１の再生手段と、前記シーク位置の前記データのみを再生する第２の再生手段とを備え、
前記第１の再生手段と前記第２の再生手段による再生を切り替える切り替え手段をさらに備える
ことを特徴とする請求項１に記載の再生装置。
【請求項６】
記録されているデータを再生する再生方法において、
予め設定された一定時間が経過したか否かを判断する時間判断ステップと、
前記時間判断ステップの処理により前記一定時間が経過したと判断された場合、所定のシーク量分の前記データをシークするシークステップと、
前記シークステップの処理により前記シーク量分の前記データがシークされたシーク位置に基づいて、前記データを再生する再生ステップと、
記憶されている前記シーク位置に基づいて、次のシーク位置がシーク制限値を越えるか否かを判断する位置判断ステップと、
前記位置判断ステップの処理により次のシーク位置がシーク制限値を越えると判断された場合、前記シークステップの処理による前記次のシーク位置への前記データのシークを制限するシーク制限ステップと
を含むことを特徴とする再生方法。
【請求項７】
記録されているデータを再生する処理をコンピュータに行わせるプログラムが記録される記録媒体であって、
予め設定された一定時間が経過したか否かを判断する時間判断ステップと、
前記時間判断ステップの処理により前記一定時間が経過したと判断された場合、所定のシーク量分の前記データをシークするシークステップと、
前記シークステップの処理により前記シーク量分の前記データがシークされたシーク位置に基づいて、前記データを再生する再生ステップと、
記憶されている前記シーク位置に基づいて、次のシーク位置がシーク制限値を越えるか否かを判断する位置判断ステップと、
前記位置判断ステップの処理により次のシーク位置がシーク制限値を越えると判断された場合、前記シークステップの処理による前記次のシーク位置への前記データのシークを制限するシーク制限ステップと
を含むことを特徴とするプログラムが記録される記録媒体。
【請求項８】
記録されているデータを再生する処理をコンピュータに行わせるプログラムであって、
予め設定された一定時間が経過したか否かを判断する時間判断ステップと、
前記時間判断ステップの処理により前記一定時間が経過したと判断された場合、所定のシーク量分の前記データをシークするシークステップと、
前記シークステップの処理により前記シーク量分の前記データがシークされたシーク位置に基づいて、前記データを再生する再生ステップと、
記憶されている前記シーク位置に基づいて、次のシーク位置がシーク制限値を越えるか否かを判断する位置判断ステップと、
前記位置判断ステップの処理により次のシーク位置がシーク制限値を越えると判断された場合、前記シークステップの処理による前記次のシーク位置への前記データのシークを制限するシーク制限ステップと
を含むことを特徴とするプログラム。
【発明の詳細な説明】
【技術分野】
【０００１】
本発明は、再生装置および方法、記録媒体、並びにプログラムに関し、特に、記録されているコンテンツの内容を簡単に確認することができるようにした再生装置および方法、記録媒体、並びにプログラムに関する。
【背景技術】
【０００２】
一般に、ユーザは、再生装置などで、記録されているコンテンツを早送り再生し、コンテンツの内容を簡単に確認して、記録されているコンテンツの中から所望のコンテンツを探す。このような早送り再生の方法としては、特許文献１に示されるように、早送り再生において、１枚の画像の表示時間を長くするために、縮小画像データを順番に表示するようにした再生装置や、記録されているコンテンツの内容を、高速に把握するために、３００倍速で早送り再生を行う高速プレビュー機能を搭載する再生装置が提案されている。
【０００３】
【特許文献１】特開平８−７０４３０号公報
【発明の開示】
【発明が解決しようとする課題】
【０００４】
しかしながら、上述したような再生装置において、早送り再生が実行された場合、早送り再生実行中は、シーク処理と、コンテンツのデータのデコード処理を常に実行する必要があり、再生装置への負担が比較的大きく、画面を切り替えるときなどに、もたつき感が生じる課題があった。
【０００５】
また、３００倍速で早送り再生を行う再生装置においては、２時間のコンテンツを、２４秒で再生できてしまうため、ユーザがうっかりしていると、ユーザが見るつもりではなかったコンテンツの最後の重要なシーンまでもが再生されてしまう課題があった。
【０００６】
本発明は、このような状況に鑑みてなされたものであり、ユーザが、記録されているコンテンツの内容を簡単に確認することができるようにするものである。
【課題を解決するための手段】
【０００７】
本発明の再生装置は、予め設定された一定時間が経過したか否かを判断する時間判断手段と、時間判断手段により一定時間が経過したと判断された場合、所定のシーク量分のデータをシークするシーク手段と、シーク手段によりシーク量分のデータがシークされたシーク位置に基づいて、データを再生する再生手段と、シーク手段によりシーク量分のデータがシークされたシーク位置を記憶する記憶手段と、記憶手段により記憶されているシーク位置に基づいて、次のシーク位置がシーク制限値を越えるか否かを判断する位置判断手段と、位置判断手段により次のシーク位置がシーク制限値を越えると判断された場合、シーク手段による次のシーク位置へのデータのシークを制限するシーク制限手段とを備えることを特徴とする。
【０００８】
再生手段は、データを１倍以上の速度で再生するようにすることができる。
【０００９】
時間判断手段により一定時間が経過したと判断された場合、再生手段により再生されているデータの再生を停止する再生停止手段をさらに備え、再生手段は、シーク位置から、再生停止手段によりデータの再生が停止されるまで、データを再生するようにすることができる。
【００１０】
再生手段は、シーク位置のデータのみを再生するようにすることができる。
【００１１】
再生手段は、シーク位置からデータを再生する第１の再生手段と、シーク位置のデータのみを再生する第２の再生手段とを備え、第１の再生手段と第２の再生手段による再生を切り替える切り替え手段をさらに備えるようにすることができる。
【００１２】
本発明の再生方法は、予め設定された一定時間が経過したか否かを判断する時間判断ステップと、時間判断ステップの処理により一定時間が経過したと判断された場合、所定のシーク量分のデータをシークするシークステップと、シークステップの処理によりシーク量分のデータがシークされたシーク位置に基づいて、データを再生する再生ステップと、記憶されているシーク位置に基づいて、次のシーク位置がシーク制限値を越えるか否かを判断する位置判断ステップと、位置判断ステップの処理により次のシーク位置がシーク制限値を越えると判断された場合、シークステップの処理による次のシーク位置へのデータのシークを制限するシーク制限ステップとを含むことを特徴とする。
【００１３】
本発明の記録媒体に記録されているプログラムは、予め設定された一定時間が経過したか否かを判断する時間判断ステップと、時間判断ステップの処理により一定時間が経過したと判断された場合、所定のシーク量分のデータをシークするシークステップと、シークステップの処理によりシーク量分のデータがシークされたシーク位置に基づいて、データを再生する再生ステップと、記憶されているシーク位置に基づいて、次のシーク位置がシーク制限値を越えるか否かを判断する位置判断ステップと、位置判断ステップの処理により次のシーク位置がシーク制限値を越えると判断された場合、シークステップの処理による次のシーク位置へのデータのシークを制限するシーク制限ステップとを含む特徴とする。
【００１４】
本発明のプログラムは、予め設定された一定時間が経過したか否かを判断する時間判断ステップと、時間判断ステップの処理により一定時間が経過したと判断された場合、所定のシーク量分のデータをシークするシークステップと、シークステップの処理によりシーク量分のデータがシークされたシーク位置に基づいて、データを再生する再生ステップと、記憶されているシーク位置に基づいて、次のシーク位置がシーク制限値を越えるか否かを判断する位置判断ステップと、位置判断ステップの処理により次のシーク位置がシーク制限値を越えると判断された場合、シークステップの処理による次のシーク位置へのデータのシークを制限するシーク制限ステップとを含むことを特徴とする。
【００１５】
本発明においては、予め設定された一定時間が経過したか否かが判断され、一定時間が経過したと判断された場合、所定のシーク量分のデータがシークされ、所定のシーク量分のデータがシークされたシーク位置に基づいて、データが再生される。そして、記憶されているシーク位置に基づいて、次のシーク位置がシーク制限値を越えるか否かが判断され、次のシーク位置がシーク制限値を越えると判断された場合、次のシーク位置へのデータのシークが制限される。
【００１６】
再生装置は、独立した装置であっても良いし、記録再生装置の再生処理を行うブロックであってもよい。
【発明の効果】
【００１７】
本発明によれば、ユーザが、記録されているコンテンツの内容を簡単に確認することができる。さらに、本発明によれば、機器への負荷が軽減される。
【発明を実施するための最良の形態】
【００１８】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１９】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２０】
本発明によれば、記録されているデータを再生する再生装置（例えば、図１の映像記録再生装置１１）が提供される。この再生装置は、予め設定された一定時間が経過したか否かを判断する時間判断手段（例えば、図５のステップＳ３の処理を実行する図２の再生制御部６１）と、時間判断手段により一定時間が経過したと判断された場合、所定のシーク量分のデータをシークするシーク手段（例えば、図２のシーク処理部６３）と、シーク手段によりシーク量分のデータがシークされたシーク位置に基づいて、データを再生する再生手段（例えば、図２の表示処理部６４または再生処理部６５）と、シーク手段によりシーク量分のデータがシークされたシーク位置を記憶する記憶手段（例えば、図２のメモリ６６）と、記憶手段により記憶されているシーク位置に基づいて、次のシーク位置がシーク制限値を越えるか否かを判断する位置判断手段（例えば、図５のステップＳ４の処理を実行する図２の再生制御部６１）と、位置判断手段により次のシーク位置がシーク制限値を越えると判断された場合、シーク手段による次のシーク位置へのデータのシークを制限するシーク制限手段（例えば、図５のステップＳ６の処理を実行する図２の再生制御部６１）とを備えることを特徴とする。
【００２１】
この再生装置は、時間判断手段により一定時間が経過したと判断された場合、再生手段により再生されているデータの再生を停止する再生停止手段（例えば、図６のステップＳ２４の処理を実行する図２の再生制御部６１）をさらに備え、再生手段（例えば、図２の再生処理部６５）は、シーク位置から、再生停止手段によりデータの再生が停止されるまで、データを再生するようにすることができる。
【００２２】
この再生装置は、再生手段（例えば、図２の表示処理部６４）は、シーク位置のデータのみを再生するようにすることができる。
【００２３】
この再生装置は、再生手段は、シーク位置からデータを再生する第１の再生手段（例えば、図２の再生処理部６５）と、シーク位置のデータのみを再生する第２の再生手段（例えば、図２の表示処理部６４）とを備え、第１の再生手段と第２の再生手段による再生を切り替える切り替え手段（例えば、図５のステップＳ９の処理を実行する図２の再生制御部６１）をさらに備えるようにすることができる。
【００２４】
本発明によれば、記録されているデータを再生する再生方法が提供される。この再生方法は、予め設定された一定時間が経過したか否かを判断する時間判断ステップ（例えば、図５のステップＳ３）と、時間判断ステップの処理により一定時間が経過したと判断された場合、所定のシーク量分のデータをシークするシークステップ（例えば、図５のステップＳ５）と、シークステップの処理によりシーク量分のデータがシークされたシーク位置に基づいて、データを再生する再生ステップ（例えば、図５のステップＳ８）と、記憶されているシーク位置に基づいて、次のシーク位置がシーク制限値を越えるか否かを判断する位置判断ステップ（例えば、図５のステップＳ４）と、位置判断ステップの処理により次のシーク位置がシーク制限値を越えると判断された場合、シークステップの処理による次のシーク位置へのデータのシークを制限するシーク制限ステップ（例えば、図５のステップＳ６）とを含むことを特徴とする。
【００２５】
なお、本発明の記録媒体およびプログラムも、上述した本発明の情報処理方法と基本的に同様の構成であるため、繰り返しになるのでその説明は省略する。
【００２６】
以下、図を参照して本発明の実施の形態について説明する。
【００２７】
図１は、本発明を適用した映像信号記録再生システム１の構成例を表している。図１の例の場合、映像信号記録再生システム１は、放送信号を受信して記録する映像記録再生装置１１、ＣＲＴ(Cathode Ray Tube)またはＬＣＤ（Liquid Crystal Display）などにより構成され、映像記録再生装置１１で受信された信号を表示するテレビジョン表示装置（以下、ＴＶ表示装置と称する）１２、ユーザが映像記録再生装置１１を操作するためのリモートコントローラ（以下、リモコンと称する）１３、ケーブルテレビ（CATV：Cable Television）局などから受信された信号を、映像記録再生装置１１に供給する外部チューナ１４により構成される。
【００２８】
映像記録再生装置１１は、受光部２１を有している。受光部２１は、ユーザの操作に基づいたリモコン２からの指示信号（赤外線信号）を受信し、対応する検出信号を、ＣＰＵ（Central Processing Unit）２２に出力する。ＣＰＵ２２は、受光部２１からの検出信号またはＲＡＭ（Random Access Memory）２３にロードされたプログラムに従って、映像記録再生装置１１の各部を制御し、各種の処理を実行する。ＲＡＭ２３にはまた、ＣＰＵ２２が各種の処理を実行する上において必要なデータなどが適宜記憶される。
【００２９】
チューナ２５は、アンテナ２４を介して受信された放送信号を選局、復調し、信号処理部２６に出力する。信号処理部２６は、その放送信号を、映像信号および音声信号などに分離し、その中の映像信号を、録画記録部２８または再生部２９に出力する。外部映像入力部２７は、外部チューナ１４から供給される映像信号を、録画記録部２８または再生部２９に出力する。なお、図１においては、説明は省略するが、信号処理部２６からの音声信号または図示せぬ外部音声入力部からの音声信号は、図示せぬ音声処理部に出力され、映像信号と同様に、処理される。
【００３０】
録画記録部２８は、エンコーダなどにより構成され、信号処理部２６または外部映像入力部２７からの映像信号を、符号化し、記憶部３０にコンテンツとして記録する。記憶部３０は、ハードディスクなどにより構成され、録画記録部２８により記録された映像信号をコンテンツとして記憶する。なお、記憶部３０は、取り外し可能な光ディスクなどの記録媒体により構成されるようにしてもよい。
【００３１】
再生部２９は、デコーダなどにより構成され、信号処理部２６または外部映像入力部２７からの映像信号を、復号し、Ｄ端子を介してＴＶ表示装置１２に表示させる。また、再生部２９は、記憶部３０に記録されているコンテンツを、ＣＰＵ２２からの制御に基づいて、読み出し（再生し）、復号し、Ｄ端子などを介して接続されるＴＶ表示装置１２に表示させる。このとき、再生部２９は、ＣＰＵ２２からの制御に基づいて、記憶部３０に記録されているコンテンツのデータを連続的に再生する通常の再生制御処理、または、再生記憶部３０に記録されているコンテンツのデータを、一定時間毎に再生するプレビュー再生制御処理のいずれかを実行する。
【００３２】
なお、図１の例においては、ＴＶ表示装置１２および外部チューナ１３は、映像記録再生装置１１の外部に接続するようにしたが、内蔵されるようにしてもよい。
【００３３】
図２は、映像記録再生装置１１のプレビュー再生制御処理における機能構成例を示すブロック図である。図２に示される機能ブロックは、映像記録再生装置１１の図１のＣＰＵ１１により所定の制御プログラムが実行されることで実現される。
【００３４】
映像記憶再生装置１１は、２種類のプレビュー再生スタイルを有する。一方は、記憶部３０に記憶されているコンテンツのデータのシークと（静止）画像表示を、一定時間毎に繰り返す静止画スタイルであり、もう一方は、コンテンツのデータのシークと再生、停止を、一定時間毎に繰り返す再生スタイルである。
【００３５】
再生制御部６１は、リモコン１３および受光部２１を介してのユーザの指示に対応する検出信号に基づいて、静止画スタイルが指示されたと判断した場合、予め設定された一定時間分、タイマ６２をカウントさせ、シーク処理部６３および表示処理部６４の制御を行う。一方、再生制御部６１は、リモコン１３および受光部２１を介してのユーザの指示に対応する検出信号に基づいて、再生スタイルが指示されたと判断した場合、予め設定された一定時間分、タイマ６２をカウントさせ、シーク処理部６３および再生処理部６５の制御を行う。なお、静止画スタイルおよび再生スタイルにおけるタイマ６２のカウント時間は、同じに設定してもよいし、それぞれ別々に設定することもできる。
【００３６】
また、再生制御部６１は、メモリ６６に記憶されているシーク位置（前回のシーク終了位置）、および予め設定されている所定のシーク量（例えば、１０秒、６０秒など）に基づいて、次のシークが終了するシーク位置（シーク終了位置）がシーク制限値を越えるか否かを判断し、次のシーク位置がシーク制限値を越えると判断した場合、シーク処理部６３を制御し、シークを制限する。具体的には、例えば、再生制御部６１は、シーク処理部６３を制御し、次の位置までのシークを制限（禁止）し、所定の時間が経過したのち、シーク処理部６３を制御し、コンテンツのデータの先頭位置にシークさせる。このシーク制限値は、映像記録再生装置１１またはユーザにより、記憶部３０に記憶されているコンテンツのデータの全長に対して、半分、または２／３などと予め設定される。そして、例えば、シーク制限値が、コンテンツのデータの長さの半分であった場合、再生制御部６１により、各コンテンツのデータの全長の半分以降のシークおよびプレビュー再生が禁止される。なお、シーク制限値を、コンテンツの最後から５分前といった時間を設定してもよいし、コンテンツの一部のシークを制限するものであれば、どのように設定されてもよい。
【００３７】
シーク処理部６３は、再生制御部６１の制御のもと、設定されているシーク量分、データをシークし、シークが終了したシーク位置を、表示処理部６４または再生処理部６５に供給するとともに、メモリ６６に記録する。
【００３８】
表示処理部６４は、再生制御部６１の制御のもと、シーク処理部６３から供給されたシーク位置のデータを、記憶部３０から読み出し（再生し）、静止画像をＴＶ表示装置１２に表示させる。再生処理部６５は、再生制御部６１の制御のもと、シーク処理部６３からのシーク位置からのデータを、記憶部３０から読み出し（再生し）、再生制御部６１から再生停止の指示があるまで、再生される画像を連続的に、ＴＶ表示装置１２に表示させる。なお、このとき、再生処理部６５は、記録されているコンテンツを、１倍速で再生するようにしてもよいし、２倍速、４倍速、など何倍速で再生するようにしてもよい。
【００３９】
次に、映像記録再生装置１１の動作について説明する。まず、ユーザがリモコン１３を用いて、例えば、放送局の選局および記録を指示する。受光部２１は、ユーザによるリモコン１３からの指示信号を、検出信号として、ＣＰＵ２２に出力する。ＣＰＵ２２は、受光部２１からの検出信号に基づいて、チューナ２５、信号処理部２６および録画記録部２８を制御する。
【００４０】
チューナ２５は、ＣＰＵ２２の制御のもと、検出信号に応じて、放送局を選局し、選局された放送局の放送信号をアンテナ２４で受信し、復調し、信号処理部２６に出力する。信号処理部２６は、ＣＰＵ２２の制御のもと、チューナ２５からの放送信号を、映像信号および音声信号などに分離し、その中の映像信号を、録画記録部２８に出力する。録画記録部２８は、ＣＰＵ２２の制御のもと、ＣＰＵ信号処理部２６または外部映像入力部２７からの映像信号を、符号化し、記憶部３０にコンテンツとして記録する。
【００４１】
以上のように、映像記録再生装置１１においては、映像信号が受信され、コンテンツとして記録される。このようにして、映像記録再生装置１１の記憶部３０に複数のコンテンツが記録されている場合、ユーザは、記録されているコンテンツの中から、所望のコンテンツを探すために、コンテンツの内容を確認する。このとき、ユーザは、リモコン１３を用いて、コンテンツのプレビュー再生を指示する。
【００４２】
図３は、プレビュー再生時に、ＴＶ表示装置１３に表示される表示画面の例を示している。表示画面上部には、記憶部３０に記録されているコンテンツの種類を大まかに分類したものである音楽、スポーツ、ニュース、映画およびドラマなどのコンテンツ種類を示すタイトルバー１０１が表示されており、ユーザは、リモコン１３を用いて、タイトルバー１０１上の左矢印１１１ａまたは右矢印１１１ｂを操作することにより、所望のコンテンツの種類を選ぶことができる。図６の例においては、コンテンツの種類として、ニュースが選ばれている例を示している。
【００４３】
タイトルバー１０１において、ニュースが選択されると、タイトルバー１０１の下部に、記憶部３０に記録されているコンテンツの中から、ニュースに関するコンテンツのタイトルが表示されるコンテンツ情報１０２が表示され、ユーザは、リモコン１３を用いて、コンテンツ情報１０２上の上矢印１１２ａ下矢印１１２ｂを操作することにより、所望のコンテンツのタイトルを選択することができる。なお、いまの場合、ニュースとして、ニュース９、ニュース△△、ズームイン○○というタイトルのコンテンツが記憶部３０に記録されている。
【００４４】
画面中央には、プレビュー再生が指示されたコンテンツの画像が表示されるウインドウ１０３が配置されている。ウインドウ１０３の下部には、コンテンツのデータの全長ｍに対して、プレビュー再生されている画像の位置１１３が示される位置確認バー１０４が示されている。
【００４５】
したがって、ユーザは、リモコン１３を用いて、タイトルバー１０１上の左矢印１１１ａまたは右矢印１１１ｂを操作することにより、所望のコンテンツの種類を選び、所望のコンテンツ情報１０２を表示させ、コンテンツ情報１０２上の上矢印１１２ａ下矢印１１１２ｂを操作し、任意のコンテンツのタイトルを選び、選んだコンテンツの画像のプレビュー再生処理を指示することにより、コンテンツの画像がウインドウ１０３に表示されるので、指示したコンテンツの内容を確認することができる。これにより、記憶部３０に記憶されている複数のコンテンツの中から、所望のコンテンツを探すことができる。
【００４６】
なお、映像記憶再生装置１１においては、プレビュー再生スタイルが２種類ある。一方は、記憶部３０に記憶されているコンテンツのデータのシークと（静止）画像表示を、一定時間毎に繰り返す静止画スタイルであり、もう一方は、コンテンツのデータのシークと再生、停止を、一定時間毎に繰り返す再生スタイルである。したがって、ユーザは、リモコン１３を用いて、２種類のプレビュー再生スタイルを選んで、指示したコンテンツの内容を確認することができる。
【００４７】
次に、図４の状態遷移図および図５のフローチャートを参照して、映像記録再生装置１１におけるプレビュー再生処理について説明する。なお、図５の例においては、ユーザにより静止画スタイルが指示された場合を説明する。
【００４８】
図４は、プレビュー再生制御処理を実行する再生制御部６１の状態遷移の例を示している。図４の例の場合、再生制御部６１の状態は、通常状態Ａ１、タイマ待ち状態Ａ２、待機状態Ａ３、スタイル変更状態Ａ４、再生停止待ち状態Ａ５および再生待ち状態Ａ６により構成される。
【００４９】
通常状態Ａ１は、再生制御部６１がプレビュー再生制御処理を実行していない状態（すなわち、通常の再生制御処理状態、または、再生をしていない状態）を示す。タイマ待ち状態Ａ２は、静止画スタイルの場合、再生制御部６１が、タイマ６２を起動、シークおよび静止画表示を繰り返している状態を示し、再生スタイルの場合、再生制御部６１が、タイマ６２を起動している状態を示している。
【００５０】
待機状態Ａ３は、次のシーク位置がシーク制限値を越えた場合に、再生制御部６１が、次のシーク位置へのシークをさせないために（いまの場合、シーク位置を先頭に戻すために）、一旦待機している状態を示している。スタイル変更状態Ａ４は、ユーザによりプレビュー再生の表示スタイルが変更された場合に、再生制御部６１が、スタイルの変更処理を実行している状態を示している。
【００５１】
再生停止待ち状態Ａ５は、再生スタイルの場合に、タイマ６２がカウントを終了し、再生制御部６１が、再生処理部６５を制御し、コンテンツの再生の停止を待っている状態を示している。また、再生待ち状態Ａ６は、再生スタイルの場合に、再生処理部６５によりコンテンツの再生が停止され、再生制御部６１が、再生処理部６５を制御し、コンテンツの再生の開始を待っている状態を示している。
【００５２】
したがって、ユーザによりコンテンツのプレビュー再生が指示されたとき、通常状態Ａ１の状態である再生制御部６１は、図５のステップＳ１において、静止画スタイルのプレビュー再生が指示されるまで待機しており、受光部２１を介して、ユーザのリモコン１３からのユーザのプレビュー再生の指示に対応する検出信号を受信すると、静止画スタイルのプレビュー再生が指示されたと判断し、ステップＳ２に進み、表示処理部６４を制御し、記憶部３０に記憶されているコンテンツの指示された位置のデータを読み出し、読み出されたデータの画像をＴＶ表示装置１２に表示させる。それと同時に、再生制御部６１は、タイマ６２を起動し、予め設定された一定時間分のカウントを開始させ、ステップＳ３に進む。このとき、再生制御部６１は、通常状態Ａ１からタイマ待ち状態Ａ２の状態に遷移する。なお、ステップＳ２において、指示された位置がシーク制限値を越えている場合は、再生制御部６１は、例えば、表示処理部６４を制御し、記憶部３０からコンテンツの先頭のデータを読み出させる。
【００５３】
また、後述する図６のステップＳ３０において、表示スタイル変更が指示され、ステップＳ３１で再生が停止された場合は、再生制御部６１は、再生停止静止待ち状態Ａ５からタイマ待ち状態Ａ２の状態に遷移し、ステップＳ３に進む。
【００５４】
再生制御部６１は、ステップＳ３において、タイマ６２を監視し、タイマ６２の一定時間分のカウントが終了するまで（すなわち、一定時間が経過するまで）待機しており、タイマ６２の一定時間分のカウントが終了したと判断した場合、ステップＳ４に進み、メモリ６６に記憶されているシーク位置およびシーク量に基づいて、次のシーク位置がシーク制限値を越えるか否かを判断する。一回目の処理においては、メモリ６６には、シーク位置が記憶されていないので、ユーザによりプレビュー再生が指示された位置（指示された位置がシーク制限値を越えていた場合は、コンテンツの先頭位置）をシーク位置とみなし、次のシーク位置がシーク制限値を越えるか否かが判断される。
【００５５】
再生制御部６１は、ステップＳ４において、次のシーク位置がシーク制限値を越えないと判断した場合、ステップＳ５に進み、シーク処理部６３を制御し、コンテンツのデータをシーク量分、シークさせ、シークしたシーク位置を、表示処理部６４に出力させ、ステップＳ８に進む。このとき、シーク処理部６３は、シークされたシーク位置をメモリ６６に記憶する。
【００５６】
一方、再生制御部６１は、ステップＳ４において、次のシーク位置がシーク制限値を越えると判断した場合、タイマ待ち状態Ａ２から待機状態Ａ３の状態に遷移し、タイマ６２を起動し、所定の時間分のカウントを開始させ、ステップＳ６に進み、タイマ６２を監視し、タイマ６２の所定の時間分のカウントが終了するまで（所定の時間が経過するまで）待機している。すなわち、再生制御部６１により、次のシーク位置がシーク制限値を越えると判断された場合、次のシーク位置へのシークを禁止するように制限される。
【００５７】
再生制御部６１は、ステップＳ６において、タイマ６２の所定の時間分のカウントが終了したと判断した場合、待機状態Ａ３からタイマ待ち状態Ａ２の状態に遷移し、ステップＳ７に進み、シーク処理部６３を制御し、コンテンツの先頭位置にシークさせ、その位置をシーク位置として、表示処理部６４に出力させ、ステップＳ８に進む。このとき、シーク処理部６３は、シークされたシーク位置をメモリ６６に記憶する。
【００５８】
ステップＳ８において、表示処理部６４は、再生制御部６１の制御のもと、記憶部３０から、シーク処理部６３よりシークされたシーク位置のデータを読み出し（再生し）、読み出されたデータの画像を、ＴＶ表示装置１２に表示させ、ステップＳ９に進む。
【００５９】
ユーザは、リモコン１３を操作し、プレビュー再生の表示スタイルを、静止画スタイルから再生スタイルへ変更する指示を受光部２１に送信する。これに対応して、受光部２１からの指示信号が再生制御部６１に入力されるので、ステップＳ９において、再生制御部６１は、表示スタイル変更が指示されたか否かを判断し、表示スタイル変更が指示されたと判断した場合、タイマ待ち状態Ａ２からスタイル変更状態Ａ４の状態に遷移し、後述する図６のステップＳ２２に進み、スタイル変更状態Ａ４から再生待ち状態Ａ６の状態に遷移し、再生スタイルのプレビュー再生制御処理を実行する。
【００６０】
再生制御部６１は、ステップＳ９において、表示スタイル変更が指示されていないと判断した場合、ステップＳ１０に進み、受光部２１からの指示信号に基づいて、プレビュー再生処理の終了が指示されたか否かを判断し、プレビュー再生処理の終了が指示されたと判断した場合、表示処理部６４を制御し、ＴＶ表示装置１４の表示を終了させ、タイマ待ち状態Ａ２から通常状態Ａ１に遷移し、プレビュー再生処理を終了する。
【００６１】
再生制御部６１は、ステップＳ１０において、プレビュー再生処理の終了が指示されていないと判断した場合、ステップＳ３に戻り、タイマ待ち状態Ａ２のまま、それ以降の処理を繰り返す。
【００６２】
以上のように、一定時間において、コンテンツのデータのシークおよび画像表示を繰り返すようにしたので、映像記録再生装置１の負荷をかけることなく、擬似的に早送り再生することができる。これにより、ユーザは、短時間で、簡単に所望のコンテンツを探すことができる。
【００６３】
さらに、シーク制限値を設定し、コンテンツの後半を再生することがないように制限したことにより、ユーザは、コンテンツの重要な部分を見ることなく、所望のコンテンツを探すことができる。
【００６４】
次に、図４の状態遷移図および図６のフローチャートを参照してプレビュー再生処理の他の例を説明する。なお、図６の例においては、ユーザにより再生スタイルが指示された場合を説明する。
【００６５】
通常状態Ａ１の状態である再生制御部６１は、図６のステップＳ２１において、再生スタイルのプレビュー再生が指示されるまで待機しており、受光部２１を介して、ユーザのリモコン１３からのユーザのプレビュー再生の指示に対応する検出信号を受信すると、再生スタイルのプレビュー再生が指示されたと判断し、ステップＳ２２に進む。また、上述した図５のステップＳ９において、スタイル変更が指示された場合は、再生制御部６１は、スタイル変更状態Ａ４から再生待ち状態Ａ６の状態に遷移し、ステップＳ２２に進む。
【００６６】
再生制御部６１は、ステップＳ２２において、再生処理部６５を制御し、指示された位置から、記憶部３０に記憶されているコンテンツのデータを読み出し、再生を開始させ、再生された画像をＴＶ表示装置１２に表示させる。それと同時に、再生制御部６１は、タイマ６２を起動し、予め設定された一定時間分のカウントを開始させ、ステップＳ２３に進む。このとき、再生制御部６１は、通常状態Ａ１からタイマ待ち状態Ａ２の状態に遷移する。なお、ステップＳ２２において、指示された位置がシーク制限値を越えている場合は、再生制御部６１は、例えば、再生処理部６５を制御し、コンテンツの先頭から再生させる。
【００６７】
再生制御部６１は、ステップＳ２３において、タイマ６２を監視し、タイマ６２の一定時間分のカウントが終了するまで（すなわち、一定時間が経過するまで）待機しており、タイマ６２の一定時間分のカウントが終了したと判断した場合、タイマ待ち状態Ａ２から再生停止待ち状態Ａ５の状態に遷移し、ステップＳ２４に進み、再生処理部６５を制御し、コンテンツのデータの再生を停止させ、ステップＳ２５に進む。
【００６８】
再生制御部６１は、ステップＳ２５において、メモリ６６に記憶されているシーク位置および設定されているシーク量に基づいて、次のシーク位置がシーク制限値を越えるか否かを判断する。なお、図５の場合と同様に、一回目の処理においては、記憶部３０には、シーク位置が記憶されていないので、指示された位置（指示された位置がシーク制限値を越えている場合は、コンテンツの先頭位置）をシーク位置とみなし、次のシーク位置がシーク制限値を越えるか否かが判断される。
【００６９】
再生制御部６１は、ステップＳ２５において、次のシーク位置がシーク制限値を越えないと判断した場合、再生停止待ち状態Ａ５から再生待ち状態Ａ６の状態に遷移し、ステップＳ２６に進み、シーク処理部６３を制御し、コンテンツのデータをシーク量分、シークさせ、シークしたシーク位置を、再生処理部６５に出力させ、ステップＳ２９に進む。このとき、シーク処理部６３は、シークされたシーク位置をメモリ６６に記憶する。
【００７０】
一方、再生制御部６１は、ステップＳ２５において、次のシーク位置がシーク制限値を越えると判断した場合、再生停止待ち状態Ａ５から待機状態Ａ３の状態に遷移し、タイマ６２を起動し、所定の時間分のカウントを開始させ、ステップＳ２７に進み、タイマ６２を監視し、タイマ６２の所定の時間分のカウントが終了するまで（所定の時間が経過するまで）待機している。すなわち、再生制御部６１により、次のシーク位置がシーク制限値を越えると判断された場合、次のシーク位置へのシークを禁止するように制限される。
【００７１】
再生制御部６１は、ステップＳ２７において、タイマ６２の所定の時間分のカウントが終了したと判断した場合、ステップＳ２８に進み、シーク処理部６３を制御し、コンテンツの先頭位置にシークさせ、その位置をシーク位置として、表示処理部６４に出力させ、ステップＳ２９に進む。このとき、シーク処理部６３は、シークされたシーク位置をメモリ６６に記憶し、待機状態Ａ３から再生待ち状態Ａ６の状態に遷移する。
【００７２】
ステップＳ２９において、再生処理部６５は、再生制御部６１の制御のもと、シーク処理部６３よりシークされたシーク位置から記憶部３０のデータを読み出し、再生し、ＴＶ表示装置１２に表示させ、再生待ち状態Ａ６からタイマ待ち状態Ａ２の状態に遷移し、ステップＳ３０に進む。
【００７３】
ユーザは、リモコン１３を操作し、プレビュー再生の表示スタイルを、再生スタイルから静止画スタイルへ変更する指示を受光部２１に送信する。これに対応して、受光部２１からの指示信号が再生制御部６１に入力されるので、ステップＳ３０において、再生制御部６１は、スタイル変更が指示されたか否かを判断し、スタイル変更が指示されたと判断した場合、タイマ待ち状態Ａ２からスタイル変更状態Ａ４の状態に遷移し、ステップＳ３１に進み、再生処理部６５を制御し、コンテンツの再生を停止させ、スタイル変更状態Ａ４から再生停止待ち状態Ａ５の状態に遷移する。再生処理部６５によりコンテンツの再生が停止されると、上述した図５のステップＳ２に進み、再生停止静止待ち状態Ａ５からタイマ待ち状態Ａ２の状態に遷移し、静止画スタイルのプレビュー再生制御処理を実行する。
【００７４】
再生制御部６１は、ステップＳ３０において、スタイル変更が指示されていないと判断した場合、ステップＳ３２に進み、受光部２１からの指示信号に基づいて、プレビュー再生処理の終了が指示されたか否かを判断し、プレビュー再生処理の終了が指示されたと判断した場合、タイマ待ち状態Ａ２から通常状態Ａ１に遷移し、プレビュー再生処理を終了する。
【００７５】
再生制御部６１は、ステップＳ３２において、プレビュー再生処理の終了が指示されていないと判断した場合、ステップＳ２３に戻り、タイマ待ち状態Ａ２のまま、それ以降の処理を繰り返す。
【００７６】
なお、上記説明においては、図５のステップＳ４または図６のステップＳ２５において、次のシーク位置がシーク制限値を越えると判断した場合、図５のステップＳ６およびＳ７または図６のステップＳ２７およびＳ２８において、一旦待機させ、その後、コンテンツの先頭にシークさせるようにしたが、この場合、シーク制限値以降のデータをシークしないように制限されればよく、例えば、先頭からプレビューするか否かを選択するための画像を表示させてから、ユーザの指示に従って、コンテンツの先頭にシークさせるようにしてもよい。
【００７７】
以上のように、一定時間毎に、コンテンツのデータのシーク、再生および停止を繰り返すことにより、連続して早送り再生をするよりも、映像記録再生装置１の負荷をかけることなく、スムーズに早送り再生することができる。これにより、ユーザは、短時間で、簡単に所望のコンテンツを探すことができる。
【００７８】
さらに、シーク制限値を設定し、コンテンツの後半を再生することがないように制限したことにより、ユーザは、コンテンツの重要な部分（例えば、ドラマや映画のラストシーンなど）を見ることなく、所望のコンテンツを探すことができる。
【００７９】
また、映像記憶再生装置１１において、静止画スタイルと再生スタイルの２種類のプレビュー再生スタイルを有し、切り替えるようにしたので、ユーザは、記録されているコンテンツの内容の確認を、好みの表示スタイルで、簡単に効率的に把握することができる。
【００８０】
なお、上記説明においては、映像記録再生装置１において、プレビュー再生処理を説明したが、例えば、再生専用装置や、情報処理装置の再生処理を行うブロックなどに代表される、内蔵する記憶部あるいは取り外し可能な記録媒体に記録されているコンテンツを再生する装置すべてに適用することができる。
【００８１】
上述した一連の処理は、ハードウェアにより実行させることもできるが、ソフトウェアにより実行させることもできる。この場合、例えば、図２の映像記録再生装置１は、図７に示されるような映像記録再生装置２０１により構成される。
【００８２】
図７において、ＣＰＵ（Central Processing Unit）２１１は、ＲＯＭ(Read Only Memory) ２１２に記憶されているプログラム、または、記憶部２１９からＲＡＭ（Random Access Memory）２１３にロードされたプログラムに従って各種の処理を実行する。ＲＡＭ２１３にはまた、ＣＰＵ２１１が各種の処理を実行する上において必要なデータなどが適宜記憶される。
【００８３】
ＣＰＵ２１１、ＲＯＭ２１２、およびＲＡＭ２１３は、バス２１４を介して相互に接続されている。このバス２１４にはまた、入出力インタフェース２１５も接続されている。
【００８４】
入出力インタフェース２１５には、放送信号を受信するチューナ２１６、キーボード、マウスなどよりなる入力部２１７、ＣＲＴ(Cathode Ray Tube)，ＬＣＤ（Liquid Crystal Display）などよりなるディスプレイ、並びにスピーカなどよりなる出力部２１８、ハードディスクなどより構成される記憶部２１９、モデム、ターミナルアダプタなどより構成される通信部２２０が接続されている。通信部２２０は、図示しないネットワークを介しての通信処理を行う。
【００８５】
入出力インタフェース２１５にはまた、必要に応じてドライブ２３０が接続され、磁気ディスク２３１、光ディスク２３２、光磁気ディスク２３３、或いは半導体メモリ２３４などが適宜装着され、それから読み出されたコンピュータプログラムが、必要に応じて記憶部２１９にインストールされる。
【００８６】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００８７】
この記録媒体は、図７に示されるように、装置本体とは別に、ユーザにプログラムを提供するために配布される、プログラムが記録されている磁気ディスク２３１（フレキシブルディスクを含む）、光ディスク２３２（CD-ROM(Compact Disk-Read Only Memory)，ＤＶＤ(Digital Versatile Disk)を含む）、光磁気ディスク２３３（MD(Mini-Disk)（商標）を含む）、もしくは半導体メモリ２３４などよりなるパッケージメディアにより構成されるだけでなく、装置本体に予め組み込まれた状態でユーザに提供される、プログラムが記録されているＲＯＭ２１２や、記憶部２１９に含まれるハードディスクなどで構成される。
【００８８】
なお、本明細書において、フローチャートに示されるステップは、記載された順序に従って時系列的に行われる処理はもちろん、必ずしも時系列的に処理されなくとも、並列的あるいは個別に実行される処理をも含むものである。
【００８９】
なお、本明細書において、システムとは、複数の装置により構成される装置全体を表すものである。
【図面の簡単な説明】
【００９０】
【図１】本発明の映像記録再生システムの構成例を示すブロック図である。
【図２】図１の映像記録再生装置の機能構成例を示す機能ブロック図である。
【図３】図１のＴＶ表示装置に表示される画面の構成例を示す図である。
【図４】図２の再生制御部の状態の遷移の例を示す状態遷移図である。
【図５】図１の映像記録再生装置のプレビュー再生制御処理を説明するフローチャートである。
【図６】図１の映像記録再生装置のプレビュー再生制御処理の他の例を説明するフローチャートである。
【図７】本発明の映像記録再生装置の他の構成例を示すブロック図である。
【符号の説明】
【００９１】
１  映像記録再生システム，１１  映像記録再生装置，１２  ＴＶ表示装置，１３  リモコン，２１  受光部，２２  ＣＰＵ，２８  録画記録部，２９  再生部，３０  記憶部，６１  再生制御部，６２  タイマ，６３  シーク処理部，６４  表示処理部，６５  再生処理部，６６  メモリ
【図１】
2005072745.tif 000003
【図２】
2005072745.tif 000004
【図３】
2005072745.tif 000005
【図４】
2005072745.tif 000006
【図５】
2005072745.tif 000007
【図６】
2005072745.tif 000008
【図７】
2005072745.tif 000009